(57)【要約】    【課題】  元の画像部分を劣化させずに、後書き部分が加えられた状態の印刷物を複製できる撮像装置を提供する。    【解決手段】  第１の動作方法では、撮影された画像信号を画像信号処理部１０４から圧縮処理部１０６に転送し（Ｓ９）、圧縮された画像データを記録部１０７で記録する（Ｓ１０）。記録された画像データはプリンタ１０９で印刷される。第２の動作方法では、文字や図形等が手書きされた印刷物を撮影し、得られた画像信号を手書き部分抽出部１１０に転送する（Ｓ３）。記録部１０７から手書き部分と合成される元の画像を呼び出し（Ｓ４）、解凍して画像合成部１１１に送る（Ｓ５）。元の画像信号と手書き部分の画像信号とを合成し（Ｓ６）、合成された画像信号を圧縮して記録部１０７で記録する（Ｓ８）。記録された画像データはプリンタ１０９で所定枚数印刷される（Ｓ８Ａ）。【選択図】      図４
2005176133.tif 000002
【特許請求の範囲】
【請求項１】
プリンタを搭載した撮像装置であって、
被写体を撮影して第１の画像信号を生成する第１の画像信号生成手段と、
前記生成された第１の画像信号を記録媒体に記録する第１の記録手段と、
前記記録された第１の画像信号を基に、前記プリンタにより印刷を行って第１の印刷物を生成する第１の印刷物生成手段と、
後書き部分が加えられた前記第１の印刷物を撮影して第２の画像信号を生成する第２の画像信号生成手段と、
前記生成された第２の画像信号から後書き部分信号を抽出する後書き部分抽出手段と、
前記抽出された後書き部分信号と前記記録された第１の画像信号とを合成して合成画像信号を生成する画像合成手段と、
前記生成された合成画像信号を記録媒体に記録する第２の記録手段と、
前記記録された合成画像信号を基に、前記プリンタにより印刷を行って第２の印刷物を生成する第２の印刷物生成手段とを備えたことを特徴とする撮像装置。
【請求項２】
前記第１の画像信号生成手段、前記第１の記録手段および前記第１の印刷物生成手段による第１の動作と、前記第２の画像信号生成手段、前記後書き部分抽出手段、前記画像合成手段、前記第２の記録手段および前記第２の印刷物生成手段による第２の動作とのいずれかを選択する選択手段を備えたことを特徴とする請求項１記載の撮像装置。
【請求項３】
前記第１の印刷物生成手段は、前記第１の印刷物に目印を印刷し、
前記第２の画像信号生成手段は、前記目印を目安に置かれた、前記後書き部分が加えられた前記第１の印刷物を撮影して前記第２の画像信号を生成し、
前記後書き部分抽出手段は、前記第２の画像信号から前記第１の画像信号を差し引くことにより前記後書き部分信号を抽出することを特徴とする請求項１記載の撮像装置。
【請求項４】
プリンタを搭載した撮像装置であって、
被写体を撮影して第１の画像信号を生成する画像信号生成手段と、
前記生成された第１の画像信号を記録媒体に記録する第１の記録手段と、
前記記録された第１の画像信号を基に、前記プリンタにより印刷を行って第１の印刷物を生成する第１の印刷物生成手段と、
後書き部分が加えられた前記第１の印刷物を走査して第２の画像信号を読み取る画像読取手段と、
前記読み取られた第２の画像信号から前記後書き部分信号を抽出する後書き部分抽出手段と、
前記抽出された後書き部分信号と前記記録された第１の画像信号とを合成して合成画像信号を生成する画像合成手段と、
前記生成された合成画像信号を記録媒体に記録する第２の記録手段と、
前記記録された合成画像信号を基に、前記プリンタにより印刷を行って第２の印刷物を生成する第２の印刷物生成手段を備えたことを特徴とする撮像装置。
【請求項５】
前記画像信号生成手段、前記第１の記録手段および前記第１の印刷物生成手段による第１の動作と、前記画像読取手段、前記後書き部分抽出手段、前記画像合成手段、前記第２の記録手段および前記第２の印刷物生成手段による第２の動作とのいずれかを選択する選択手段を備えたことを特徴とする請求項４記載の撮像装置。
【請求項６】
撮像装置により被写体を撮影して第１の画像信号を生成する第１の画像信号生成ステップと、
前記生成された第１の画像信号を記録媒体に記録する第１の記録ステップと、
前記記録された第１の画像信号を基に、プリンタにより印刷を行って第１の印刷物を生成する第１の印刷物生成ステップと、
前記撮像装置により後書き部分が加えられた前記第１の印刷物を撮影して第２の画像信号を生成する第２の画像信号生成ステップと、
前記生成された第２の画像信号から後書き部分信号を抽出する後書き部分抽出ステップと、
前記抽出された後書き部分信号と前記記録された第１の画像信号とを合成して合成画像信号を生成する画像合成ステップと、
前記生成された合成画像信号を記録媒体に記録する第２の記録ステップと、
前記記録された合成画像信号を基に、前記プリンタにより印刷を行って第２の印刷物を生成する第２の印刷物生成ステップとを有する撮影画像印刷方法。
【請求項７】
撮像装置により被写体を撮影して第１の画像信号を生成する画像信号生成ステップと、
前記生成された第１の画像信号を記録媒体に記録する第１の記録ステップと、
前記記録された第１の画像信号を基に、プリンタにより印刷を行って第１の印刷物を生成する第１の印刷物生成ステップと、
前記撮像装置により後書き部分が加えられた前記第１の印刷物を走査して第２の画像信号を読み取る画像読取ステップと、
前記読み取られた第２の画像信号から前記後書き部分信号を抽出する後書き部分抽出ステップと、
前記抽出された後書き部分信号と前記記録された第１の画像信号とを合成して合成画像信号を生成する画像合成ステップと、
前記生成された合成画像信号を記録媒体に記録する第２の記録ステップと、
前記記録された合成画像信号を基に、前記プリンタにより印刷を行って第２の印刷物を生成する第２の印刷物生成ステップとを有する撮影画像印刷方法。
【発明の詳細な説明】
【技術分野】
【０００１】
本発明は、プリンタを搭載した撮像装置および撮影画像印刷方法に関する。
【背景技術】
【０００２】
近年、デジタルカメラで撮影された画像を印刷するプリンタの小型化が図られている。最近では、デジタルカメラそのものにプリンタを搭載し、撮影したその場で印刷することが可能になっている（例えば、特許文献１参照）。この利点として、従来のポラロイドカメラのように、撮影結果を１枚しか出力できない機器とは異なり、複数の人数を撮影した場合など、その場で撮影結果のプリントアウトを多数枚行って複製し、各人に手渡すことが可能である。
【特許文献１】特開２０００−５６８７９号公報
【発明の開示】
【発明が解決しようとする課題】
【０００３】
しかしながら、従来の撮像装置には、以下に掲げる点において、なお一層の改善が要望されていた。すなわち、撮影された画像の印刷物に、手書きで文字や図形などを書き込む行為が広く一般に行われているが、この手書き部分が加えられた状態の印刷物をその場で複製する場合、再び手書き部分が加えられた状態の印刷物を撮影して印刷し直す必要があった。このため、その複製物は元の画像部分が劣化してしまうという不都合があった。
【０００４】
そこで、本発明は、元の画像部分を劣化させずに、後書き部分が加えられた状態の印刷物を複製できる撮像装置および撮影画像印刷方法を提供することを目的とする。
【課題を解決するための手段】
【０００５】
上記目的を達成するために、本発明の撮像装置は、プリンタを搭載した撮像装置であって、被写体を撮影して第１の画像信号を生成する第１の画像信号生成手段と、前記生成された第１の画像信号を記録媒体に記録する第１の記録手段と、前記記録された第１の画像信号を基に、前記プリンタにより印刷を行って第１の印刷物を生成する第１の印刷物生成手段と、後書き部分が加えられた前記第１の印刷物を撮影して第２の画像信号を生成する第２の画像信号生成手段と、前記生成された第２の画像信号から後書き部分信号を抽出する後書き部分抽出手段と、前記抽出された後書き部分信号と前記記録された第１の画像信号とを合成して合成画像信号を生成する画像合成手段と、前記生成された合成画像信号を記録媒体に記録する第２の記録手段と、前記記録された合成画像信号を基に、前記プリンタにより印刷を行って第２の印刷物を生成する第２の印刷物生成手段とを備えたことを特徴とする。
【０００６】
本発明の撮像装置は、プリンタを搭載した撮像装置であって、被写体を撮影して第１の画像信号を生成する画像信号生成手段と、前記生成された第１の画像信号を記録媒体に記録する第１の記録手段と、前記記録された第１の画像信号を基に、前記プリンタにより印刷を行って第１の印刷物を生成する第１の印刷物生成手段と、後書き部分が加えられた前記第１の印刷物を走査して第２の画像信号を読み取る画像読取手段と、前記読み取られた第２の画像信号から前記後書き部分信号を抽出する後書き部分抽出手段と、前記抽出された後書き部分信号と前記記録された第１の画像信号とを合成して合成画像信号を生成する画像合成手段と、前記生成された合成画像信号を記録媒体に記録する第２の記録手段と、前記記録された合成画像信号を基に、前記プリンタにより印刷を行って第２の印刷物を生成する第２の印刷物生成手段を備えたことを特徴とする。
【０００７】
本発明の撮影画像印刷方法は、撮像装置により被写体を撮影して第１の画像信号を生成する第１の画像信号生成ステップと、前記生成された第１の画像信号を記録媒体に記録する第１の記録ステップと、前記記録された第１の画像信号を基に、プリンタにより印刷を行って第１の印刷物を生成する第１の印刷物生成ステップと、前記撮像装置により後書き部分が加えられた前記第１の印刷物を撮影して第２の画像信号を生成する第２の画像信号生成ステップと、前記生成された第２の画像信号から後書き部分信号を抽出する後書き部分抽出ステップと、前記抽出された後書き部分信号と前記記録された第１の画像信号とを合成して合成画像信号を生成する画像合成ステップと、前記生成された合成画像信号を記録媒体に記録する第２の記録ステップと、前記記録された合成画像信号を基に、前記プリンタにより印刷を行って第２の印刷物を生成する第２の印刷物生成ステップとを有する。
【０００８】
本発明の撮影画像印刷方法は、撮像装置により被写体を撮影して第１の画像信号を生成する画像信号生成ステップと、前記生成された第１の画像信号を記録媒体に記録する第１の記録ステップと、前記記録された第１の画像信号を基に、プリンタにより印刷を行って第１の印刷物を生成する第１の印刷物生成ステップと、前記撮像装置により後書き部分が加えられた前記第１の印刷物を走査して第２の画像信号を読み取る画像読取ステップと、前記読み取られた第２の画像信号から前記後書き部分信号を抽出する後書き部分抽出ステップと、前記抽出された後書き部分信号と前記記録された第１の画像信号とを合成して合成画像信号を生成する画像合成ステップと、前記生成された合成画像信号を記録媒体に記録する第２の記録ステップと、前記記録された合成画像信号を基に、前記プリンタにより印刷を行って第２の印刷物を生成する第２の印刷物生成ステップとを有する。
【発明の効果】
【０００９】
本発明の請求項１に係る撮像装置によれば、被写体を撮影して第１の画像信号を生成し、生成された第１の画像信号を記録媒体に記録し、記録された第１の画像信号を基に、プリンタにより印刷を行って第１の印刷物を生成し、後書き部分が加えられた前記第１の印刷物を撮影して第２の画像信号を生成し、生成された第２の画像信号から後書き部分信号を抽出し、抽出された後書き部分信号と記録された第１の画像信号とを合成して合成画像信号を生成し、生成された合成画像信号を記録媒体に記録し、記録された合成画像信号を基に、プリンタにより印刷を行って第２の印刷物を生成するので、元の画像部分を劣化させずに、後書き部分が加えられた状態の印刷物を複製できる。
【００１０】
請求項２、５に係る撮像装置によれば、操作性を高めることができる。請求項３に係る撮像装置によれば、後書き部分が加えられた第１の印刷物を撮影する際、画像のずれを無くすことができる。請求項４に係る撮像装置によれば、搭載されている画像読取手段を使って、元の画像部分を劣化させずに、後書き部分が加えられた状態の印刷物を簡単に複製できる。
【発明を実施するための最良の形態】
【００１１】
本発明の撮像装置および撮影画像印刷方法の実施の形態について、図面を参照しながら説明する。本実施形態の撮像装置は、プリンタが搭載された撮像装置に適用される。
【００１２】
［第１の実施形態］
図１は第１の実施形態におけるプリンタ付き撮像装置の構成を示すブロック図である。このプリンタ付き撮像装置は、命令入力部１０１、ＣＣＤ１０２、Ａ／Ｄ変換部１０３、画像信号処理部１０４、制御部１０５、圧縮処理部１０６、記録部１０７、プリンタコントローラ１０８、プリンタ１０９、手書き部分抽出部１１０および画像合成部１１１から構成される。
【００１３】
ＣＣＤ１０２は、被写体を撮影し、電荷信号として取り込む。Ａ／Ｄ変換部１０３は、ＣＣＤ１０２からの電荷信号（アナログ信号）をデジタル信号に変換する。画像信号処理部１０４は、Ａ／Ｄ変換部１０３からのデジタル信号を画像信号として処理する。圧縮処理部１０６は画像信号を圧縮し、また圧縮された画像信号を解凍する。記録部１０７は、圧縮された画像信号を記録する。プリンタコントローラ１０８は、画像信号を基にプリンタ１０９を制御する。手書き部分抽出部１１０は、画像信号から手書きで加えられた部分の信号を抽出する。画像合成部１１１は、手書き部分抽出部１１０からの手書き部分の画像信号と記録部１０７から呼び出された画像信号とを合成する。命令入力部１０１は、使用者から記録部１０７に記録された画像の選択や撮影動作方法などが指示されると、その指示を制御部１０５に伝達する。制御部１０５は、撮像装置全体の動作を制御する。
【００１４】
上記構成を有するプリンタ付き撮像装置の撮影動作を示す。まず、文字や絵柄の抽出を行わず、通常通りに人物や風景などを撮影して印刷する動作（以下、このような動作方法を第１の動作方法という）を示す。使用者は、命令入力部１０１を通じて第１の動作方法を制御部１０５に指示した後、被写体の撮影が行われる。撮影された被写体からの光は、電荷としてＣＣＤ１０２に取り込まれ、ＣＣＤ１０２はその電荷信号をアナログ信号としてＡ／Ｄ変換部１０３に出力する。
【００１５】
Ａ／Ｄ変換部１０３は、入力されたアナログ信号をデジタル信号に変換して画像信号処理部１０４に出力する。出力されたデジタル信号は、画像信号処理部１０４に入力されると、所定の信号処理が施された後、画像信号として出力される。画像信号処理部１０４から出力された画像信号は、命令入力部１０１からの指示を基に、制御部１０５によって制御され、その出力先が決まる。
【００１６】
第１の動作方法の場合、画像信号は、圧縮処理部１０６に出力され、直交変換や量子化などの画像圧縮処理が施された後、記録部１０７に記録される。記録部１０７は、画像の保存領域として利用されるだけでなく、プリント用データを出力するものとしても利用される。使用者は、撮影された画像を印刷する場合、命令入力部１０１を通じて印刷する画像を選択し、制御部１０５は、選択された画像のデータを記録部１０７から呼び出す。呼び出された画像データは、圧縮処理部１０６に入力され、解凍されて圧縮画像データから元に戻された後、プリンタコントローラ１０８に送られる。プリンタコントローラ１０８は、プリンタ１０９を制御してプリントアウトを実行する。このようにしてプリントアウトが行われた印刷物に対しては、手書きで文字や絵柄等を書き込むことが可能である。
【００１７】
つぎに、手書きで文字や絵柄等の書き込まれた印刷物から手書き部分を抜き出して元の画像と合成する動作（以下、このような動作方法を第２の動作方法という）を示す。使用者は、命令入力部１０１を通じて第２の動作方法であることを制御部１０５に指示するとともに、抜き出した手書き部分の合成対象となる元の画像を記録部１０７に保存されている画像の中から選択する。そして、前述した第１の動作方法で印刷され、その上に文字や絵柄等が書き込まれた印刷物を被写体として撮影する。このとき、第１の動作方法と同様、被写体からの光がＣＣＤ１０２によって電荷信号として取り込まれ、Ａ／Ｄ変換部１０３でデジタル信号に変換された画像信号は、画像信号処理部１０４によって信号処理される。
【００１８】
第２の動作方法の場合、所定の信号処理が施された画像信号は、画像信号処理部１０４から手書き部分抽出部１１０に出力されると、手書きの文字や図形部分が画像信号として抜き出される。この手書き部分を抜き出す方法として、例えば、第２の動作方法で撮影された画像から、第１の動作方法で撮影された画像を差し引く方法が挙げられる。
【００１９】
この場合、第１の動作方法で印刷され、その上に文字や絵柄等が書き込まれた印刷物を撮影する時、画像がずれないようにする必要がある。この対策として、以下の手順が行われる。図２は第１の動作方法で印刷された印刷物を示す図である。図３は第２の動作方法で撮影する際、撮像装置に設けられているファインダを示す図である。例えば、図２に示すように、印刷時に印刷物２１０の四隅に目印となる点２２１を印刷する。また、図３に示すように、撮影時にファインダ２４０内の四隅に目印となる点２５１を表示する。そして、撮像装置と印刷物を真正面に対峙させた状態で、それら４点を重ね合わせて撮影することにより、画像がずれて撮影されることを防止できる。
【００２０】
また、手書きの際に専用の筆記具を用い、手書き部分と周辺部の信号の輝度もしくは彩度の差異を際立たせ、画像信号処理部１０４で輝度信号もしくは彩度信号を２値化処理し、手書き部分とその周辺部の信号との差異を判断することにより、手書き部分を抜き出すことも可能である。
【００２１】
抜き出された手書き部分の画像信号は、画像合成部１１１に入力される。これと同時に、制御部１０５は、記録部１０７から使用者によって選択された画像を呼び出して圧縮処理部１０６に出力する。圧縮処理部１０６は、入力された画像データを解凍して圧縮された状態から元の状態に戻して画像合成部１１１に出力する。そして、画像合成部１１１は、この画像データと手書き部分とを合成した後、圧縮処理部１０６に入力し、圧縮処理部１０６は、この合成画像に圧縮処理を施して記録部１０７に出力し、記録部１０７はこの合成画像を保存する。また、合成画像を印刷する場合、前述した第１の動作方法と同様、プリンタコントローラ１０８は、プリンタ１０９を制御してプリントアウトを実行する。
【００２２】
図４は撮影動作処理手順を示すフローチャートである。この処理は制御部１０５内のＣＰＵによって実行され、その処理プログラムは制御部１０５内のＲＯＭに格納されている。まず、命令入力部１０１を介して使用者からの動作方法の入力を受け付ける（ステップＳ１）。入力された動作方法が第１の動作方法であるのか、それとも第２の動作方法であるのかを判別する（ステップＳ２）。第１の動作方法であった場合、使用者によって被写体が撮影されると、撮影後の画像信号を取得し（ステップＳ９Ａ）、撮影された画像信号を画像信号処理部１０４から圧縮処理部１０６に転送する（ステップＳ９）。さらに、圧縮処理部１０６で圧縮された画像データを記録部１０７に送って記録を行う（ステップＳ１０）。そして、記録部１０７に記録された画像データをプリンタコントローラ１０８に転送し、プリンタ１０９で所定枚数印刷する（ステップＳ８Ａ）。この後、本処理を終了する。
【００２３】
一方、ステップＳ２で第２の動作方法であった場合、使用者によって、第１の動作方法で印刷され、文字や図形等が手書きされた印刷物が撮影されると、撮影後の画像信号を取得し（ステップＳ３Ａ）、撮影された画像信号を画像信号処理部１０４から手書き部分抽出部１１０に転送する（ステップＳ３）。手書き部分抽出部１１０では、前述したように、手書き部分の抽出が行われる。そして、手書き部分と合成される画像を記録部１０７から呼び出し（ステップＳ４）、呼び出された画像データを圧縮処理部１０６によって解凍して元の画像に戻した後、画像合成部１１１に送る（ステップＳ５）。画像合成部１１１によって、元の画像信号と手書き部分抽出部１１０によって抽出された手書き部分の画像信号とを合成し（ステップＳ６）、合成された画像信号を圧縮処理部１０６に戻して圧縮し（ステップＳ７）、圧縮された画像データを圧縮処理部１０６から記録部１０７に送って記録を行う（ステップＳ８）。そして、記録部１０７に記録された画像データをプリンタコントローラ１０８に転送し、プリンタ１０９で所定枚数印刷する（ステップＳ８Ａ）。この後、本処理を終了する。
【００２４】
このように、第１の実施形態のプリンタ付き撮像装置によれば、元の画像部分を劣化させずに、手書き部分が加えられた状態の印刷物を複製できる。
［第２の実施形態］
図５は第２の実施形態におけるプリンタ付き撮像装置の構成を示すブロック図である。前記第１の実施形態と同一の構成要素については同一の符号を付すことでその説明を省略する。第２の実施形態のプリンタ付き撮像装置には、画像を読み込むスキャナ１５１が設けられており、その出力信号は手書き部分抽出部１１０に入力される。
【００２５】
また、第１の動作方法は、前記第１の実施形態と同様であるので、その説明を省略する。第２の動作方法では、使用者は、命令入力部１０１を介して第２の動作方法であることを制御部１０５に指示するとともに、抜き出した手書き部分の、合成対象となる手書きされていない元の画像を記録部１０７に保存されているものの中から選択する。
【００２６】
そして、第１の動作方法で印刷され、その上に文字や絵柄等を書き込まれた印刷物をスキャナ１５１にセットし、その画像情報を取り込む。このとき、印刷物の上にスキャナ１５１を接触させながら走査するので、前記第１の実施形態のように、印刷物とファインダとの間の距離を調整する必要がない。スキャナ１５１によって取り込まれた画像情報は、手書き部分抽出部１１０に出力される。また、手書き部分抽出部１１０には、使用者によって選択された元の画像が制御部１０５によって記録部１０７から呼び出され、圧縮処理部１０６で圧縮された状態から元の状態に戻された後、入力されている。したがって、手書き部分抽出部１１０は、元の画像信号とスキャナ１５１からの画像信号との差分を取ることにより、手書き文字や図形部分を画像信号として抜き出す。
【００２７】
抜き出された手書き部分の画像信号は、画像合成部１１１に入力される。これと同時に、制御部１０５は、記録部１０７から先程使用者によって選択された画像を呼び出して圧縮処理部１０６に転送する。圧縮処理部１０６は、入力された画像データを圧縮された状態から元の状態に戻して画像合成部１１１に出力する。画像合成部１１１は、入力した画像データと手書き文字部分とを合成した後、圧縮処理部１０６に出力する。圧縮処理部１０６は、この合成画像に圧縮処理を施して記録部１０７に出力し、記録部１０７はこの合成画像を保存する。この後、記録部１０７に保存された合成画像を印刷する場合、第１の動作方法と同様、プリンタコントローラ１０８は、プリンタ１０９を制御してプリントアウトを実行する。
【００２８】
図６は撮影動作処理手順を示すフローチャートである。この処理は制御部１０５内のＣＰＵによって実行され、その処理プログラムは制御部１０５内のＲＯＭに格納されている。まず、使用者からの動作方法の入力を受け付ける（ステップＳ２１）。入力された動作方法が第１の動作方法であるのか、それとも第２の動作方法であるのかを判別する（ステップＳ２２）。判別の結果、第１の動作方法であった場合、使用者によって被写体が撮影されると、撮影後の画像信号を取得し（ステップＳ２８Ａ）、取得した画像信号を画像信号処理部１０４を介して圧縮処理部１０６に転送し（ステップＳ２８）、圧縮された画像データを圧縮処理部１０６から記録部１０７に送って記録を行う（ステップＳ２９）。そして、記録部１０７に記録された画像データをプリンタコントローラ１０８に転送し、プリンタ１０９によって所定枚数印刷する（ステップＳ２７Ａ）。この後、本処理を終了する。
【００２９】
一方、ステップＳ２２で判別の結果、第２の動作方法であった場合、第１の動作方法で印刷され、文字や絵柄等が書き込まれた印刷物がその上から、使用者によってスキャナ１５１で走査されると、その走査された画像情報を取り込んで手書き部分抽出部１１０に転送する（ステップＳ２３Ａ）。そして、手書き部分と合成される画像を記録部１０７から呼び出し（ステップＳ２３）、呼び出された画像データを圧縮処理部１０６によって解凍して元の画像に戻した後、画像合成部１１１および手書き部分抽出部１１０に転送する（ステップＳ２４）。手書き部分抽出部１１０によって、スキャナ１５１によって読み込まれた画像から手書き部分の画像信号が抽出されると、画像合成部１１１により、抽出された手書き部分の画像信号と元の画像信号とを合成する（ステップＳ２５）。合成された画像信号を圧縮処理部１０６に戻して圧縮処理を行い（ステップＳ２６）、圧縮された画像データを圧縮処理部１０６から記録部１０７に送って記録を行う（ステップＳ２７）。そして、記録部１０７に保存された合成画像を印刷する場合、第１の動作方法と同様、記録部１０７に記録された画像データをプリンタコントローラ１０８に転送し、プリンタ１０９によって所定枚数印刷する（ステップＳ２７Ａ）。この後、本処理を終了する。
【００３０】
このように、第２の実施形態のプリンタ付き撮像装置によれば、搭載されているスキャナを使って、元の画像部分を劣化させずに、手書き部分が加えられた状態の印刷物を簡単に複製できる。
【００３１】
以上が本発明の実施形態の説明であるが、本発明は、これら実施形態の構成に限られるものではなく、特許請求の範囲で示した機能、または実施形態の構成が持つ機能が達成できる構成であればどのようなものであっても適用可能である。
【００３２】
例えば、上記各実施形態の撮像装置は、単一の筐体に収納されたものでなくてもよく、各部が別個に構成され、信号線等によって接続されるものであってもよい。また、プリンタで印刷される枚数を、命令入力部１０１を通じて使用者が任意に設定できるようにしてもよい。
【００３３】
また、本発明の目的は、実施形態の機能を実現するソフトウェアのプログラムコードを記録した記憶媒体を撮像装置に供給し、撮像装置のコンピュータ（またはＣＰＵやＭＰＵ等）が記憶媒体に格納されたプログラムコードを読み出して実行することによっても達成される。この場合、記憶媒体から読み出されたプログラムコード自体が前述した実施形態の機能を実現することになり、そのプログラムコードおよびこれを記憶した記憶媒体は本発明を構成することになる。プログラムコードを供給するための記憶媒体としては、例えば、ＲＯＭ、コンパクトフラッシュ（登録商標）等のメモリカード等で構成されてもよい。
【図面の簡単な説明】
【００３４】
【図１】第１の実施形態におけるプリンタ付き撮像装置の構成を示すブロック図である。
【図２】第１の動作方法で印刷された印刷物を示す図である。
【図３】第２の動作方法で撮影する際、撮像装置に設けられているファインダを示す図である。
【図４】撮影動作処理手順を示すフローチャートである。
【図５】第２の実施形態におけるプリンタ付き撮像装置の構成を示すブロック図である。
【図６】撮影動作処理手順を示すフローチャートである。
【符号の説明】
【００３５】
１０１  命令入力部
１０２  ＣＣＤ
１０５  制御部
１０７  記録部
１０９  プリンタ
１１０  手書き部分抽出部
１１１  画像合成部
１５１  スキャナ
【図１】
2005176133.tif 000003
【図２】
2005176133.tif 000004
【図３】
2005176133.tif 000005
【図４】
2005176133.tif 000006
【図５】
2005176133.tif 000007
【図６】
2005176133.tif 000008